(57)【要約】  【課題】  周知の器具で切断でき端部がほつれにくい織物及びホースカバーを提供する。【解決手段】  ホースカバーは、織物２０製の筒部１０を備える。織物２０は、複数の経糸と少なくとも１本の緯糸とを有する。緯糸は経糸に交差する。複数の経糸のいずれかと少なくとも１本の緯糸のいずれかとのうち一方の糸が他方の糸に融着している。織物２０の端部において複数の経糸のいずれかと少なくとも１本の緯糸のいずれかとのうち一方の糸が他方の糸に融着していると、織物２０がハサミ及びナイフといった周知の器具で切断されても、その融着している箇所では、織物２０の端部がほつれにくい。その結果、筒部１０も、周知の器具で切断されても、端部がほつれにくい。【選択図】      図１
2015140503.tif 000002
【特許請求の範囲】
【請求項１】
複数の経糸と、
前記経糸に交差する少なくとも１本の緯糸とを備える織物であって、
前記複数の経糸のいずれかと前記少なくとも１本の緯糸のいずれかとのうち一方の糸が他方の糸に融着していることを特徴とする織物。
【請求項２】
前記一方の糸が合成樹脂を材料とし、
前記他方の糸が合成樹脂を材料とし、
前記一方の糸の融点が前記他方の糸の融点より低いことを特徴とする請求項１に記載の織物。
【請求項３】
前記一方の糸が前記他方の糸に複数の箇所で融着していることを特徴とする請求項２に記載の織物。
【請求項４】
織物製の筒部を備えるホースカバーであって、
前記織物が、
複数の経糸と、
前記経糸に交差する少なくとも１本の緯糸とを有しており、
前記複数の経糸のいずれかと前記少なくとも１本の緯糸のいずれかとのうち一方の糸が他方の糸に融着していることを特徴とするホースカバー。
【請求項５】
前記経糸が前記筒部の軸に沿っており、
前記少なくとも１本の緯糸のいずれかが前記複数の経糸のいずれかに融着していることを特徴とする請求項４に記載のホースカバー。
【発明の詳細な説明】
【技術分野】
【０００１】
本発明は織物及びホースカバーに関する。
【背景技術】
【０００２】
特許文献１には建設機械が開示されている。この建設機械は複数本の油圧管路を備える。各油圧管路は、少なくともスイングポストを経由する部位が油圧ホースによって形成される。この油圧ホースは可撓性を有する。各油圧ホースの外周側にはホースプロテクタが設けられている。ホースプロテクタは油圧ホースを覆う。ホースプロテクタは、複数本の織物製筒を有する。各織物製筒は各油圧ホースを１本ずつ独立して覆う。各織物製筒の隣同士が互いに結合されている。
【先行技術文献】
【特許文献】
【０００３】
【特許文献１】特開２０１３−２３９４４号公報
【発明の概要】
【発明が解決しようとする課題】
【０００４】
特許文献１に開示された発明には、建設機械の周囲の環境によっては（例えば可燃性ガスが空気中に含まれている環境では）、端部のほつれ止めができない場合があるという問題点がある。織物製筒に油圧ホースを覆わせるためには、織物製筒を適切な長さに切断する必要がある。周知のハサミ又は周知のナイフで織物製筒を切断しただけでは織物製筒の端部がほつれてしまう。織物製筒の端部がほつれることを防ぐためには、周知のハサミ又は周知のナイフで織物製筒を切断した後、例えばその端部を加熱する必要がある。例えば可燃性ガスが空気中に含まれている環境では、その加熱のための熱源が、火災の原因となることがある。その結果、可燃性ガスが空気中に含まれている環境では、織物製筒の端部を加熱できない。端部を加熱できないので、端部のほつれ止めができない。この問題点は特許文献１に開示されたホースプロテクタに限られた問題ではない。例えば、複数本のホースが収容される１本の織物製筒にも同様の問題点がある。上述した織物製筒に限らず、織物及び織物から作られた物には、周囲の環境が原因となってほつれ止めができないことがあるという問題点がある。
【０００５】
本発明は、上述したような問題点を解決するためのものである。本発明の目的は、例えばハサミ及びナイフといった周知の器具で切断された場合に端部がほつれにくい織物及びホースカバーを提供することにある。
【課題を解決するための手段】
【０００６】
図面を参照し本発明を説明する。なおこの欄で図中の符号を使用したのは発明の内容の理解を助けるためであって内容を図示した範囲に限定する意図ではない。
【０００７】
上記目的を達成するために、本発明のある局面に従うと、織物２０は、複数の経糸３０と少なくとも１本の緯糸３２とを備える。緯糸３２は経糸３０に交差する。複数の経糸３０のいずれかと少なくとも１本の緯糸３２のいずれかとのうち一方の糸が他方の糸に融着している。
【０００８】
例えばハサミ及びナイフといった周知の器具で従来の織物を切断した場合にその織物の端部がほつれるのは、織物の構造に原因がある。織物は経糸と緯糸とがからみ合ったものである。経糸と緯糸とがからみ合っているため、これらは互いにつなぎ合わされている。従来の織物がハサミ及びナイフといった周知の器具で切断された場合、その織物の端部では、織物の中央部分に比べ、経糸と緯糸とが互いをつなぎ合わせる力が弱い。つなぎ合わせる力が弱いので、経糸又は緯糸がほつれる。一方、本発明にかかる織物２０では、複数の経糸３０のいずれかと少なくとも１本の緯糸３２のいずれかとのうち一方の糸が他方の糸に融着している。織物２０の端部において複数の経糸３０のいずれかと少なくとも１本の緯糸３２のいずれかとのうち一方の糸が他方の糸に融着していると、織物２０がハサミ及びナイフといった周知の器具で切断されても、その融着している箇所では、織物２０の端部がほつれにくい。
【０００９】
また、上述した一方の糸が合成樹脂を材料とすることが望ましい。この場合、他方の糸が合成樹脂を材料とすることが望ましい。この場合、一方の糸の融点が他方の糸の融点より低いことが望ましい。
【００１０】
一方の糸の融点が他方の糸の融点よりも低ければ、一方の糸を他方の糸に融着させる際、他方の糸の融解を回避できる。他方の糸の融解を回避できれば、他方の糸の融解を回避できない場合に比べ、織物２０のしなやかさの低下を抑えることができる。
【００１１】
もしくは、上述した一方の糸が他方の糸に複数の箇所で融着していることが望ましい。
【００１２】
融着した箇所が多ければ多いほど、つなぎ合わされた経糸３０と緯糸３２とが互いに離れる可能性は低くなる。一方の糸が他方の糸に複数の箇所で融着していると、一方の糸が他方の糸に一箇所のみで融着している場合に比べ、つなぎ合わされた経糸３０と緯糸３２とが互いに離れる可能性は低くなる。その結果、織物２０の端部がほつれにくくなる。
【００１３】
本発明の他の局面に従うと、ホースカバーは、織物２０製の筒部１０を備える。織物２０は、複数の経糸３０と少なくとも１本の緯糸３２とを有する。緯糸３２は経糸３０に交差する。複数の経糸３０のいずれかと少なくとも１本の緯糸３２のいずれかとのうち一方の糸が他方の糸に融着している。
【００１４】
織物２０では、複数の経糸３０のいずれかと少なくとも１本の緯糸３２のいずれかとのうち一方の糸が他方の糸に融着している。織物２０の端部において複数の経糸３０のいずれかと少なくとも１本の緯糸３２のいずれかとのうち一方の糸が他方の糸に融着しているので、織物２０がハサミ及びナイフといった周知の器具で切断されても、織物２０の端部がほつれにくい。その結果、筒部１０も、周知の器具で切断されても、端部がほつれにくい。
【００１５】
また、上述した経糸３０が筒部の軸５０に沿っていることが望ましい。この場合、少なくとも１本の緯糸３２のいずれかが複数の経糸３０のいずれかに融着していることが望ましい。
【００１６】
融着した糸は融着しない糸よりもしなやかさが低下する。しなやかさが低下するので、ホースカバーが織物２０製の筒部１０を備え、かつ、経糸３０が筒部の軸５０に沿っている場合においては、緯糸３２が経糸３０に融着する方が、経糸３０が緯糸３２に融着するよりも、ホースカバーがしなやかになる。なお、本発明において、筒部の軸５０とは筒部１０の中心を通る仮想の線のことである。本発明において、「沿う」とは、仮想の線と隣り合っていることをいう。
【発明の効果】
【００１７】
本発明によれば、周知の器具で切断された場合に端部がほつれにくい織物及びホースカバーを提供できる。
【図面の簡単な説明】
【００１８】
【図１】本発明の一実施形態にかかるホースカバーの斜視図である。
【図２】本発明の一実施形態にかかる織物の一部を示す平面図である。
【図３】図２のＡ−Ａ断面図である。
【図４】本発明の一実施形態にかかるホースカバーの製造工程を示す図である。
【発明を実施するための形態】
【００１９】
以下、図面を参照しつつ、本発明の実施形態について説明する。以下の説明では、同一の部品には同一の符号を付してある。それらの名称および機能も同一である。したがって、それらについての詳細な説明は繰返さない。
【００２０】
［ホースカバーの構成］
図１は、本実施形態にかかるホースカバーの斜視図である。本実施形態にかかるホースカバーは、例えば油圧ホースを覆うために用いられる。本実施形態にかかるホースカバーは、筒部１０を備える。本実施形態の場合、筒部１０は、筒状の織物２０により形成される。本実施形態にかかる織物２０の織り方は平二重織りである。なお、図１において、筒部の軸５０は、筒部１０の中心を通る仮想の線のことである。
【００２１】
［織物の構成］
図２は、本実施形態にかかる織物２０の一部を示す平面図である。図３は、図２のＡ−Ａ断面図である。図２と図３とに基づいて、本実施形態にかかる織物２０の構成が説明される。本実施形態にかかる織物２０は、複数の経糸３０と、１本の緯糸３２とを備える。
【００２２】
本実施形態の場合、経糸３０は、合成樹脂を材料とする。具体的には、経糸３０は、ナイロンを材料とする。
【００２３】
図３に明示されているように、本実施形態の場合、緯糸３２は、構造糸４０と融着糸４２とがより合わされたものである。本実施形態の場合、構造糸４０の材料は、経糸３０の材料と同一である。本実施形態の場合、融着糸４２は、ナイロンを材料とする。本実施形態の場合、融着糸４２の材料であるナイロンの融点は、経糸３０の材料であるナイロンの融点より低い。言い換えると、経糸３０は融着糸４２の材料である合成樹脂よりも融点の高い合成樹脂を材料とする。
【００２４】
本実施形態の場合、融着糸４２のいずれかは、経糸３０のいずれかに融着している。融着糸４２は、経糸３０と交差する箇所それぞれにおいて経糸３０に融着している。本実施形態では、融着糸４２が経糸３０に融着している箇所を融着点３６と称する。
【００２５】
［ホースカバーの製造方法及び織物の製造方法］
図４は、本実施形態にかかるホースカバーの製造工程を示す図である。図４に基づいて、本実施形態にかかる織物２０の製造方法ひいてはホースカバーの製造方法が説明される。本実施形態にかかる織物２０の製造方法は、織り工程Ｓ１５０と、加熱工程Ｓ１５２とを備える。
【００２６】
織り工程Ｓ１５０は、複数の経糸３０と１本の緯糸３２とを互いに組み合わせる工程である。織り工程Ｓ１５０の具体的な内容は、周知の糸によって周知の織物を織る場合と同様である。したがって、ここではその具体的な説明は繰り返されない。
【００２７】
加熱工程Ｓ１５２は、織り工程Ｓ１５０の後に、融着糸４２を経糸３０に融着させる工程である。融着のため、本実施形態の場合、経糸３０と緯糸３２とは、次の要件が満たされるように加熱される。その要件とは、融着糸４２が材料とする合成樹脂の融点より高く経糸３０が材料とする合成樹脂の融点よりも低い温度で加熱されるという要件である。加熱のため、織り工程Ｓ１５０において織られた経糸３０と緯糸３２とは、図示しないドラムに巻き付けられる。そのドラムは予め加熱されている。そのドラムの温度は融着糸４２が材料とする合成樹脂の融点より高く経糸３０が材料とする合成樹脂の融点よりも低い。そのドラムが予め加熱されているので、そのドラムに巻付けられた経糸３０と緯糸３２とは加熱される。これにより、経糸３０と緯糸３２とは、予め加熱された板（円筒形に曲げられた板）に接触することとなる。そのドラムによって加熱された融着糸４２は溶融する。溶融したことにより、経糸３０と融着糸４２との交点において融着糸４２は経糸３０に融着する。融着糸４２のうち融着した箇所が融着点３６となる。
【００２８】
［ホースカバーの使用方法］
出荷されたホースカバーは、周知のハサミまたは周知のナイフによって適当な長さに切断される。適当な長さに切断されたホースカバーは油圧ホースに被せられる。
【００２９】
［本実施形態にかかるホースカバー及び織物の効果］
以上のようにして、本実施形態にかかる織物２０は、ハサミまたはナイフによって切断されてもその切断面がほつれにくい。融着糸４２が融着点３６において経糸３０に融着しているためである。これにより、その織物２０を縫い合わせることで形成されたホースカバーも、ハサミまたはナイフによって切断されてもその切断面がほつれにくい。
【００３０】
また、本実施形態にかかる織物２０において、融着糸４２がナイロンを材料とする。経糸３０もナイロンを材料とする。この場合、融着糸４２の融点が経糸３０の融点より低い。これにより、融着糸４２を経糸３０に融着させる際、経糸３０の融解を回避できる。経糸３０の融解を回避できれば、経糸３０の融解を回避できない場合に比べ、織物２０のしなやかさの低下を抑えることができる。
【００３１】
また、融着した糸は融着しない糸よりもしなやかさが低下する。しなやかさが低下するのは、融着した糸の変形が融着された糸によって妨げられるためである。その変形が妨げられるのは、融着前に存在した糸と糸との隙間が融着時に消滅することによる。本実施形態にかかる織物２０の場合、融着糸４２が経糸３０に融着している。融着糸４２が経糸３０に融着しているので、しなやかさが低下するのは融着糸４２である。経糸３０のしなやかさの低下は抑制される。経糸３０のしなやかさの低下が抑制されるので、経糸３０が緯糸３２に融着している場合に比べ、本実施形態にかかる織物２０はしなやかとなる。
【００３２】
また、本実施形態にかかる織物２０によると、融着糸４２が経糸３０の複数の箇所で融着している。融着糸４２が経糸３０に複数の箇所で融着していると、融着糸４２が経糸３０に一箇所のみで融着している場合に比べ、つなぎ合わされた経糸３０と緯糸３２とが互いに離れる可能性は低くなる。その結果、織物２０の端部がほつれにくくなる。
【００３３】
また、本実施形態にかかるホースカバーによると、経糸３０が筒部の軸５０に沿っており、かつ、融着糸４２が経糸３０に融着している。これにより、本実施形態にかかるホースカバーは、経糸３０が緯糸３２に融着している場合よりも、しなやかになる。
【００３４】
また、本実施形態にかかる織物製造方法によると、加熱工程Ｓ１５２において、融着糸４２が材料とするナイロンの融点より高く経糸３０が材料とするナイロンの融点よりも低い温度で経糸３０と緯糸３２とが加熱される。これにより融着糸４２を経糸３０に融着させる際、経糸３０の融解を回避できる。経糸３０の融解を回避できれば、経糸３０の融解を回避できない場合に比べ、織物２０のしなやかさの低下を抑えることができる。
【００３５】
また、本実施形態にかかる織物製造方法によると、加熱工程Ｓ１５２において、予め加熱された板に経糸３０と緯糸３２とを接触させる。これにより、融着糸４２を複数の経糸３０それぞれの複数の箇所に一度に融着させることができる。 予め加熱された板に経糸３０と緯糸３２とを接触させることで、経糸３０と緯糸３２とに熱風を吹き付ける場合に比べ効率よく経糸３０と緯糸３２とを加熱できる。
【００３６】
［変形例の説明］
今回開示された実施形態はすべての点で例示である。本発明の範囲は上述した実施形態に基づいて制限されるものではない。もちろん、本発明の趣旨を逸脱しない範囲で種々の設計変更をしてもよい。
【００３７】
たとえば、融着糸４２が経糸３０の複数の箇所で融着する代わりに、経糸３０が緯糸３２に融着していてもよい。また、経糸３０と緯糸３２とは互いに融着し合っていてもよい。すなわち、経糸３０と緯糸３２とは、複数の経糸３０のいずれかと少なくとも１本の緯糸３２のいずれかとのうち一方の糸が他方の糸に融着していればよい。織物２０において、経糸３０と緯糸３２とのうち一方が他方に融着している箇所の数は特に限定されない。
【００３８】
また、融着工程（複数の経糸と複数の緯糸とのうち一方の糸のいずれかを他方の糸のいずれかに融着させる工程）は、加熱工程Ｓ１５２によるものに限定されない。加熱工程以外の融着工程の例には、複数の経糸と複数の緯糸とのうち一方の糸のいずれかを溶剤で溶解することにより他方の糸のいずれかに融着させるものがある。
【００３９】
また、本発明にかかる織物の織り方は特に限定されない。例えば、本発明にかかる織物の織り方は、綾織り、しゅす織り、袋織り、又は、綾二重織りであってもよい。
【００４０】
また、経糸３０の材料と緯糸３２の材料とは特に限定されない。材料の例には、合成樹脂のほか、天然繊維がある。合成樹脂の例にはポリエステルがある。経糸３０と緯糸３２とが共に合成繊維を材料とする場合、それらの融点は同一でもよい。
【００４１】
また、織物２０における経糸３０と緯糸３２との向きは上述した方向に限定されない。すなわち、経糸３０は筒部１０の軸５０に沿っていなくてもよい。緯糸３２の本数も限定されない。織物２０は複数の経糸３０と複数の緯糸３２とを有していてもよい。
【００４２】
また、本発明にかかる織物は、構造糸４０と融着糸４２とがより合わされたものに限定されない。例えば、本発明にかかる織物は、単に隣り合っているに過ぎない構造糸４０と融着糸４２とが経糸３０に交差するものであってもよい。本発明にかかる織物は、融着糸４２のみが経糸３０に交差するものであってもよい。
【００４３】
また、本発明にかかるホースカバーの構造は上述されたものに限定されない。例えば、筒部は、２枚の上述された織物の縁同士が縫い合わされたものであってもよい。
【符号の説明】
【００４４】
１０…筒部、
２０…織物、
３０…経糸、
３２…緯糸、
３６…融着点、
４０…構造糸、
４２…融着糸、
５０…筒部の軸、
【図１】
2015140503.tif 000003
【図２】
2015140503.tif 000004
【図３】
2015140503.tif 000005
【図４】
2015140503.tif 000006